(57)【要約】【課題】風呂場内等で使用する際に、タオルを置き易く、また、タオルを衛生的に置くことができ、さらに、タオルの取り違えも極めて少ないタオル載置具を提供する。【解決手段】風呂場内の浴槽の縁２０や洗い場３０などの所定位置にタオル４０を載置するためのタオル載置具１０であって、風呂場内の所定位置に安定して載置可能な土台１１と、該土台１１に立設された支持脚１２と、該支持脚１２に支持された棒体１４からなるタオル載置部１３と、を備えたことを特徴とするものである。【選択図】  図１
2008194296.tif 000002
【特許請求の範囲】
【請求項１】
風呂場内の浴槽の縁や洗い場などの所定位置にタオルを載置するためのタオル載置具であって、
風呂場内の所定位置に安定して載置可能な土台と、該土台に立設された支持脚と、該支持脚に支持された棒体からなるタオル載置部と、を備えたことを特徴とするタオル載置具。
【請求項２】
風呂場内の浴槽の縁や洗い場などの所定位置にタオルを載置するためのタオル載置具であって、
風呂場内の所定位置に立設された支持脚と、該支持脚に支持された棒体からなるタオル載置部と、を備えたことを特徴とするタオル載置具。
【請求項３】
前記タオル載置部が、横向きに長く配された２本の棒体を平行にして形成されたことを特徴とする請求項１または２に記載のタオル載置具。
【請求項４】
さらに、２本の前記棒体が、長手方向に沿って上下交互に変位した状態に形成されたことを特徴とする請求項３に記載のタオル載置具。
【請求項５】
さらに、２本の前記棒体の間に他の棒体が架設されたことを特徴とする請求項３または４に記載のタオル載置具。
【請求項６】
前記タオル載置部が、横向きに配された２本の棒体を交差して形成されたことを特徴とする請求項１または２に記載のタオル載置具。
【請求項７】
前記タオル載置部が、横向きに配された環状の棒体により形成されたことを特徴とする請求項１または２に記載のタオル載置具。
【発明の詳細な説明】
【技術分野】
【０００１】
本発明は、風呂場の浴槽の縁や洗い場などの所定位置にタオルを載置するするためのタオル載置具に関する。
【背景技術】
【０００２】
一般に、風呂場において身体を洗うタオルを浴槽内に入れるのは、浴槽内を不衛生にする一因である。
【０００３】
例えば、公衆浴場など不特定多数の人が利用する場所では、タオルを浴槽内に入れるようなことは、上記したように浴槽内を不衛生にし入浴マナーに反する。そのため、ほとんどの人は浴槽の縁、岩風呂周りの岩の上、風呂場内に設置してある手摺りなどに自分のタオルを直に置いたり掛けたりして浴槽に入っている。
【０００４】
しかしながら、上記したような浴槽の縁、岩風呂周りの岩の上、手摺りなどは、清潔であるとは言いがたいため、自分のタオルを上記の場所に置くことは不快であった。
【０００５】
また、このような公衆浴場では、不特定多数の人が同じような場所に各々のタオルを置くため、自分のタオルと他人のタオルとを取り違える虞があった。
【０００６】
さらに、浴槽の縁にタオルを置いている場合、タオルが浴槽内から溢れたお湯に触れて濡れてしまい、その濡れたタオルからの雫が浴槽内に再び入ることがしばしばあり、浴槽内を不衛生にする一因ともなっていた。
【０００７】
一方、風呂場内の洗い場においては、石鹸、シャンプー、タオルなどの風呂道具を置けるように段差やカウンターなどが設けられている。
【０００８】
しかしながら、これらの段差やカウンターなども、清潔であるとは言いがたいため、自分のタオルを上記の場所に置くことは不快であった。
【０００９】
そこで、これらの問題を解決するものとして、特許文献１にタオル置き具が提案されている。このタオル置き具は、接地面から所定の高さにタオル受け架台部が形成され、そのタオル受け架台部の両側位置に側板が形成され、タオル受け架台部上にタオルを保持するというものである。
【特許文献１】特開２００６−３３４３４１号公報
【発明の開示】
【発明が解決しようとする課題】
【００１０】
しかしながら、上記したタオル置き具は、タオル受け架台部の上に置いたタオルを両側板によって挟む形状であるため、タオルを置く位置及びスペースが限られてしまい、タオルの置き方に制約が生じ、タオルを置くのが面倒であった。
【００１１】
また、このタオル置き具は、タオルを置いた際に、タオルとタオル受け架台部や側板との接触面積が広く、多数の人が用いると、タオル受け架台部や両側板に汚れや雫が溜まり結局は不衛生な状態となり、後から使用した人は不快な思いをしてしまう。
【００１２】
本発明は係る実情に鑑みてなされたもので、その目的は、風呂場内等で使用する際に、タオルを置き易く、また、タオルを衛生的に置くことができ、さらに、タオルの取り違えも極めて少ないタオル載置具を提供することにある。
【課題を解決するための手段】
【００１３】
上記課題を解決するため、本発明のタオル載置具は、風呂場内の浴槽の縁や洗い場などの所定位置にタオルを載置するためのタオル載置具であって、風呂場内の所定位置に安定して載置可能な土台と、該土台に立設された支持脚と、該支持脚に支持された棒体からなるタオル載置部と、を備えたことを特徴とする。
【００１４】
このような本発明によれば、タオル載置部が棒体からなるものであるから、タオル載置部にタオルを置いた際に、タオルとタオル載置部との接触面積を小さくすることができる。
【００１５】
したがって、タオル載置部は、汚れにくく雫が溜まらず衛生的なため、タオル載置部に置いたタオルを快適に使用することができる。
【００１６】
また、タオル載置具は、移動可能な土台に支持脚が立設されているので、タオルとともに風呂場内の所定位置に移動させることが可能である。
【００１７】
また、本発明のタオル載置具は、風呂場内の浴槽の縁や洗い場などの所定位置にタオルを載置するためのタオル載置具であって、風呂場内の所定位置に立設された支持脚と、該支持脚に支持された棒体からなるタオル載置部と、を備えたことを特徴とする。
【００１８】
このような本発明によれば、タオル載置部が棒体からなるものであるから、タオル載置部にタオルを置いた際に、タオルとタオル載置部との接触面積を小さくすることができる。
【００１９】
したがって、タオル載置部は、汚れにくく雫が溜まらず衛生的なため、タオル載置部に置いたタオルを快適に使用することができる。
【００２０】
また、前記タオル載置部が、横向きに長く配された２本の棒体を平行にして形成されたものであってもよい。
【００２１】
この場合、タオル載置部が、横向きに長く配された２本の棒体を平行にして形成されたものであるため、タオルとタオル載置部との接触面積を小さくすることができ、タオル載置部を衛生的に保つことができる。
【００２２】
また、このタオル載置部は、タオルを何枚も載置可能な長尺状のものと、タオルを１枚ずつ載置可能な短尺状のものとを形成することができるが、タオル載置部を短尺状のものとすることにより、自分のタオルを置いた位置が明確になるため、自分のタオルと他人のタオルとの取り違えの問題を極めて少なくすることができる。
【００２３】
また、このタオル載置部は、上記したような形状であるので、タオルを２本の棒体上に置くだけでよくタオルの置き方に制約がなく、タオルを置くのが簡単である。
【００２４】
さらに、２本の前記棒体が、長手方向に沿って上下交互に変位した状態に形成されたものであってもよい。
【００２５】
この場合、さらに、タオル載置部は、タオルを何枚も載置可能な長尺状に形成したとしても、２本の棒体が長手方向に沿って上下交互に変位した状態に形成されることにより、複数のタオルを棒体の上の位置と下の位置とに置き分けることができ、自分のタオルを置いた位置が明確になるため、自分のタオルと他人のタオルとの取り違えの問題を極めて少なくすることができる。
【００２６】
さらに、２本の前記棒体の間に他の棒体が架設されたものであってもよい。
【００２７】
この場合、さらに、２本の上記棒体の間に他の棒体が架設されることにより、タオルが２本の棒体間に落ちるといったことをなくすことができるため、タオルとタオル載置部との接触面積を小さくしたままで、タオルが不衛生な場所に落ちるといったことをなくすことができ、タオルをより清潔に使用することができる。
【００２８】
また、前記タオル載置部が、横向きに配された２本の棒体を交差して形成されたものであってもよい。
【００２９】
この場合、タオル載置部が、横向きに配された２本の棒体を交差して形成されたものであるから、タオルとタオル載置部との接触面積をより小さくすることができるとともに、タオル載置部にタオルを置くのをより容易にすることができる。
【００３０】
また、このタオル載置部は、上記したような形状であるので、タオルを２本の棒体上に置くだけでよくタオルの置き方に制約がなく、タオルを置くのが簡単である。
【００３１】
また、前記タオル載置部が、横向きに配された環状の棒体により形成されたものであってもよい。
【００３２】
この場合、タオル載置部が、横向きに配された環状の棒体により形成されたものであるから、タオルとタオル載置部との接触面積を小さくすることができ、タオル載置部を衛生的に保つことができる。
【００３３】
また、このタオル載置部は、上記したような形状であるので、タオルを棒体上に置くだけでよくタオルの置き方に制約がなく、タオルを置くのが簡単である。
【発明の効果】
【００３４】
本発明のタオル載置具は、風呂場内等で使用する際に、タオルを置き易く、また、タオルを衛生的に置くことができ、さらに、タオルの取り違えも少なくすることができるといった効果を奏する。
【発明を実施するための最良の形態】
【００３５】
以下、本発明の実施の形態について、図面を参照して説明する。
【００３６】
［実施の形態１］
図１は、本実施の形態のタオル載置具の一例を示す斜視図であり、図１（ｂ）は図１（ａ）のタオル載置具に実際にタオルを置いた状態を示している。
【００３７】
本実施の形態のタオル載置具１０は、土台１１と、この土台１１に立設された支持脚１２と、この支持脚１２に支持された棒体１４からなるタオル載置部１３と、を備えている。
【００３８】
上記土台１１は、風呂場内の浴槽の縁２０や洗い場３０などの所定位置に、タオル載置具１０を安定して載置させるためのものである。土台１１としては、材質を特に限定するものではなく、例えば、各種の金属、合成樹脂、及び、合成ゴムなどを用いることができる。
【００３９】
上記支持脚１２は、土台１１に立設されており、後述するタオル載置部１３を支持するためのものである。支持脚１２としては、材質を特に限定するものではなく、例えば、各種の金属、合成樹脂、及び、合成ゴムなどを用いることができる。
【００４０】
上記タオル載置部１３は、棒体１４からなりタオル４０を上に載置するためのものである。
【００４１】
タオル載置部１３としては、棒体１４からなり、タオル４０を載置できるものであれば、特に限定するものではなく、例えば、図２及び図３に示すような長く横向きに配された２本の棒体１４，１４を平行にして形成したもの、図４に示すように２本の棒体１４，１４を長手方向に沿って上下交互に変位した状態に形成したもの、図２及び図４に示す２本の棒体１４，１４の間にそれぞれ図５及び図６に示すようにさらに他の棒体１４を架設したもの、図７に示すように横向きに配された２本の棒体１４，１４を交差して形成したもの（図中では安全のために棒体１４の先端を球状にしている）、及び、図８に示すように横向きに配された環状の棒体１４により形成したものなどを用いることができ、また、これらの形状の棒体１４を複数組み合わせたもの（例えば、格子状に棒体１４を配したもの）なども用いることができる。
【００４２】
タオル載置部１３を上記のように図示した形状とすることにより、タオル４０とタオル載置部１３との接触面積を小さくすることができ、タオル載置部１３を衛生的に保つことができる。したがって、タオル載置部１３に置いたタオル４０を清潔に使用することができ、不快な思いをするといったことがなくなる。
【００４３】
また、これらのタオル載置部１３は、タオル４０を何枚も載置可能な長尺状のものと、タオル４０を１枚ずつ載置可能なものとが図示されている。前者の長尺状のタオル載置部１３は、図４及び図６に示すように、２本の棒体１４，１４が長手方向に沿って上下交互に変位した状態に形成されており、複数のタオル４０を棒体１４の上の位置と下の位置とに置き分けることができ、自分のタオル４０を置いた位置が明確になるため、自分のタオル４０と他人のタオル４０との取り違えの問題を極めて少なくすることができる。一方、後者のタオル４０を１枚ずつ載置可能なタオル載置部１３は、長尺状とは異なり自分のタオル４０を置いた位置が明確であるため、自分のタオル４０と他人のタオル４０との取り違えの問題を極めて少なくすることができる。
【００４４】
さらに、これらのタオル載置部１３は、図７に示すもの以外、棒体１４の先端が突出していないので、肌に接触した際に肌を傷つける虞がなく、安全に使用することができる。一方、図７に示すタオル載置部１３も棒体１４の先端を球状にしているため、肌に接触した際に肌を傷つけにくく、比較的安全に使用することができる。
【００４５】
また、タオル載置部１３としては、材質を特に限定するものではなく、例えば、各種の金属、合成樹脂、及び、合成ゴムなどを用いることができる。そして、支持脚１２とタオル載置部１３とは、一体的に形成してもよく、例えば、ステンレスパイプで一体成形することで製造コストを抑えることもできる。
【００４６】
なお、土台１１、支持脚１２、及び、タオル載置部１３は、全ての部分または一部に抗菌処理を施したものであってもよい。これにより、タオル載置具１０の衛生度をさらに向上させることができる。
【００４７】
図９は、図１に示すタオル載置具１０を公衆浴場などの浴槽の縁２０に使用した際の使用状態を示しており、また、図１０は、図１に示すタオル載置具１０の公衆浴場などの洗い場３０に使用した際の使用状態を示している。このように、タオル載置具１０を用いることにより、浴槽の縁２０、岩風呂周りの岩の上、手摺りなどの不衛生な場所にタオル４０を直接置くといったことがなくなり、タオル４０を清潔な状態に保つことができる。また、このタオル載置具１０は、土台１１が風呂場に固定されていないため、風呂場内の好きな位置に移動させることができる。
【００４８】
なお、上述したように、本実施の形態のタオル載置具１０は、不特定多数の人が入浴する公衆浴場などで使用した場合について説明したが、本実施の形態のタオル載置具１０は、このような用途に限らず、例えば、図１１に示すように個人宅やホテルのユニットバス５０などの風呂場にも用いることもできる。
【００４９】
また、本実施の形態のタオル載置具１０にタオル４０を置く際、タオル載置部１３が棒体１４で形成されているから、タオル載置部１３に水やお湯をかけると、容易に清潔な状態とすることができ、使用者は不快な思いをすることなく安心してタオル４０を置くことができる。
【００５０】
［実施の形態２］
図１２及び図１３は、本実施の形態のタオル載置具の一例を示す斜視図であり、図１２は図２に示す支持脚及びタオル載置部を浴槽の縁に設置した場合、及び、図１３は図２に示す支持脚及びタオル載置部を洗い場に設置した場合を示している。
【００５１】
本実施の形態のタオル載置具１０は、風呂場内の所定位置に立設された支持脚１２と、この支持脚１２に支持された棒体１４からなるタオル載置部１３と、を備えている。
【００５２】
上記支持脚１２は、風呂場内の所定位置に立設され、後述するタオル載置部１３を支持するためのものである。支持脚１２としては、材質を特に限定するものではなく、例えば、各種の金属、合成樹脂、及び、合成ゴムなどを用いることができる。
【００５３】
上記タオル載置部１３は、棒体１４からなりタオル４０を上に載置するためのものである。
【００５４】
タオル載置部１３としては、棒体１４からなり、タオル４０を載置できるものであれば、特に限定するものではなく、例えば、図２及び図３に示すような横向きに長く配された２本の棒体１４，１４を平行にして形成したもの、図４に示すように２本の棒体１４，１４を長手方向に沿って上下交互に変位した状態に形成したもの、図２及び図４に示す２本の棒体１４，１４の間にそれぞれ図５及び図６に示すようにさらに他の棒体１４を架設したもの、図７に示すように横向きに配された２本の棒体１４，１４を交差して形成したもの（図中では安全のために棒体１４の先端を球状にしている）、及び、図８に示すように横向きに配された環状の棒体１４により形成したものなどを用いることができ、また、これらの形状の棒体１４を複数組み合わせたもの（例えば、格子状に棒体１４を配したもの）なども用いることができる。
【００５５】
タオル載置部１３を上記のように図示した形状とすることにより、タオル４０とタオル載置部１３との接触面積を小さくすることができ、タオル載置部１３を衛生的に保つことができる。したがって、タオル載置部１３に置いたタオル４０を清潔に使用することができ、不快な思いをするといったことがなくなる。
【００５６】
また、これらのタオル載置部１３は、タオル４０を何枚も載置可能な長尺状のものと、タオル４０を１枚ずつ載置可能なものとが図示されている。上記前者の長尺状のタオル載置部１３は、図４及び図６に示すように、２本の棒体１４，１４が長手方向に沿って上下交互に変位した状態に形成されており、複数のタオル４０を棒体１４の上の位置と下の位置とに置き分けることができ、自分のタオル４０を置いた位置が明確になるため、自分のタオル４０と他人のタオル４０との取り違えの問題を極めて少なくすることができる。一方、上記後者のタオル４０を１枚ずつ載置可能なタオル載置部１３は、長尺状のものとは異なり自分のタオル４０を置いた位置が明確であるため、自分のタオル４０と他人のタオル４０との取り違えの問題を極めて少なくすることができる。
【００５７】
さらに、これらのタオル載置部１３は、図７に示すもの以外、棒体１４の先端が突出していないので、肌に接触した際に肌を傷つける虞がなく、安全に使用することができる。一方、図７に示すタオル載置部１３も棒体１４の先端を球状にしているため、肌に接触した際に肌を傷つけにくく、比較的安全に使用することができる。
【００５８】
また、タオル載置部１３としては、材質を特に限定するものではなく、例えば、各種の金属、合成樹脂、及び、合成ゴムなどを用いることができる。そして、支持脚１２とタオル載置部１３とは、一体的に形成してもよく、例えば、ステンレスパイプで一体成形することで製造コストを抑えることもできる。
【００５９】
なお、支持脚１２、及び、タオル載置部１３は、全ての部分または一部に抗菌処理を施したものであってもよい。これにより、タオル載置具１０の衛生度をさらに向上させることができる。
【００６０】
また、上述したように、本実施の形態のタオル載置具１０は、不特定多数の人が入浴する公衆浴場などに設置した場合について説明したが、本実施の形態のタオル載置具１０は、このような用途に限らず、例えば、図１４に示すように個人宅やホテルのユニットバス５０などの風呂場にも設置することもできる。
【００６１】
また、本実施の形態のタオル載置具１０にタオル４０を置く際、タオル載置部１３が棒体１４で形成されているから、タオル載置部１３に水やお湯をかけると、容易に清潔な状態とすることができ、使用者は不快な思いをすることなく安心してタオル４０を置くことができる。
【図面の簡単な説明】
【００６２】
【図１】実施の形態１のタオル載置具の一例を示す斜視図であり、図１（ｂ）は図１（ａ）のタオル載置具に実際にタオルを置いた状態を示している。
【図２】本発明のタオル載置具の一例を示す部分斜視図であり、図２（ｂ）は図２（ａ）のタオル載置具に実際にタオルを置いた状態を示している。
【図３】本発明のタオル載置具の他の例を示す部分斜視図であり、図３（ｂ）は図３（ａ）のタオル載置具に実際にタオルを置いた状態を示している。
【図４】本発明のタオル載置具のさらに他の例を示す部分斜視図であり、図４（ｂ）は図４（ａ）のタオル載置具に実際にタオルを置いた状態を示している。
【図５】本発明のタオル載置具のさらに他の例を示す部分斜視図であり、図５（ｂ）は図５（ａ）のタオル載置具に実際にタオルを置いた状態を示している。
【図６】本発明のタオル載置具のさらに他の例を示す部分斜視図であり、図６（ｂ）は図６（ａ）のタオル載置具に実際にタオルを置いた状態を示している。
【図７】本発明のタオル載置具のさらに他の例を示す部分斜視図であり、図７（ｂ）は図７（ａ）のタオル載置具に実際にタオルを置いた状態を示している。
【図８】本発明のタオル載置具のさらに他の例を示す部分斜視図であり、図８（ｂ）は図８（ａ）のタオル載置具に実際にタオルを置いた状態を示している。
【図９】図１に示すタオル載置具を公衆浴場などの浴槽の縁に使用した際の使用状態を示している。
【図１０】図１に示すタオル載置具を公衆浴場などの洗い場に使用した際の使用状態を示している。
【図１１】図１に示すタオル載置具を個人宅のユニットバスの浴槽の縁に使用した際の使用状態を示している。
【図１２】実施の形態２に示すタオル載置具を公衆浴場などの浴槽の縁に設置した際の使用状態を示している。
【図１３】実施の形態２に示すタオル載置具を公衆浴場などの洗い場に設置した際の使用状態を示している。
【図１４】実施の形態２に示すタオル載置具を個人宅のユニットバスの浴槽の縁に設置した際の使用状態を示している。
【符号の説明】
【００６３】
１０      タオル載置具
１１      土台
１２      支持脚
１３      タオル載置部
１４      棒体
２０      浴槽の縁
３０      洗い場
４０      タオル
５０      ユニットバス
【図１】
2008194296.tif 000003
【図２】
2008194296.tif 000004
【図３】
2008194296.tif 000005
【図４】
2008194296.tif 000006
【図５】
2008194296.tif 000007
【図６】
2008194296.tif 000008
【図７】
2008194296.tif 000009
【図８】
2008194296.tif 000010
【図９】
2008194296.tif 000011
【図１０】
2008194296.tif 000012
【図１１】
2008194296.tif 000013
【図１２】
2008194296.tif 000014
【図１３】
2008194296.tif 000015
【図１４】
2008194296.tif 000016